(57)【要約】  本発明は、従来の方法より早期に糖尿病性腎症を発見するための検査方法を提供することを課題とする。かかる課題は、尿中ポドカリキシンを測定することを特徴とする、糖尿病性腎症の検査方法、糖尿病性腎症を少なくとも第I期から判定する当該検査方法、前記検査方法のための検査用試薬、および前記検査方法のための検査用試薬キットによる。本発明は、尿中ポドカリキシンが、尿中アルブミンよりも早期から鋭敏に、糖尿病性腎症の発症および病態を反映していることを見出したことに基づく。
2010143423.tif 000002
【特許請求の範囲】
【請求項１】
尿中ポドカリキシンを検出することを特徴とする、糖尿病性腎症の検査方法。
【請求項２】
糖尿病性腎症の病期区分が少なくとも第I期のものである、請求項１に記載の検査方法。
【請求項３】
尿中ポドカリキシン値が基準値よりも高い場合に、糖尿病性腎症であると判定される、請求項１または２に記載の検査方法。
【請求項４】
基準値が、健常人の尿中ポドカリキシン値の９５％信頼区間の上限値である、請求項３に記載の検査方法。
【請求項５】
糖尿病性腎症の進展および／または糖尿病性腎症の病期区分が判定される、請求項１または２に記載の糖尿病性腎症の検査方法。
【請求項６】
尿中ポドカリキシン値が、尿中成分の値で補正されたものである、請求項１〜５のいずれか１項に記載の検査方法。
【請求項７】
尿中成分が尿中クレアチニンである、請求項６に記載の検査方法。
【請求項８】
尿中ポドカリキシンの検出を、免疫学的手法により行う、請求項１〜７のいずれか１に記載の検査方法。
【請求項９】
尿中ポドカリキシンを検出するための抗ポドカリキシン抗体を含む、請求項８に記載の検査方法に用いる、糖尿病性腎症検査用試薬。
【請求項１０】
抗ポドカリキシン抗体を用いた尿中ポドカリキシンを検出するための試薬を含む、請求項９に記載の検査方法に用いる、糖尿病性腎症検査用試薬キット。
【発明の詳細な説明】
【技術分野】
【０００１】
本発明は、尿中のポドカリキシンを検出することを含む、糖尿病性腎症の検査方法、および抗ポドカリキシン抗体を含む、当該検査方法に用いる糖尿病性腎症検査用試薬に関する。【０００２】
本出願は、参照によりここに援用されるところの日本出願特願2009-139188号優先権を請求する。
【背景技術】
【０００３】
糖尿病性腎症は糖尿病の３大合併症のひとつであり、近年血液透析導入の原因疾患の第１位となっている。糖尿病性腎症は、糖尿病にかかってから１０年以上が経過し、糖尿病のコントロールが悪く、高血糖状態が長期間続くことにより発症する。糸球体濾過量は増加し、糸球体のなかの血圧が高くなり（糸球体高血圧）、糸球体の毛細血管からの血漿タンパク質の透過性が高まって、アルブミン尿が出現する。さらに病態が進むと、糸球体の基底膜の目が粗くなり、よりサイズの大きい蛋白も排泄されるようになり、蛋白尿になる。蛋白尿が高度になると低蛋白血症になり、糸球体濾過機能の減少と相まって浮腫が起きる。さらに進行すると、体内の老廃物や水分、塩分の排泄が損なわれ、腎不全状態となり、最終的には血液透析か腎移植が必要になる。【０００４】
末期腎不全の原因疾患としての糖尿病性腎症患者の比率・数は年々増加しており、糖尿病性腎症の診断・治療は、大きな課題となっている。糖尿病性腎症の透析患者の予後は不良であることが多く、透析療法が必ずしも患者の生命予後、ＱＯＬの向上に大きな貢献をもたらしていないのが現状である。また、糖尿病性腎症の臨床診断は、腎生検が困難なことから糖尿病に併発した持続性蛋白尿、腎機能障害、高血圧等の知見から行われている。しかし、持続性蛋白尿が出現すると治療が難しく、５〜６年の経過で末期腎不全に陥る場合が多い。そのため、通常の尿試験紙法で尿蛋白が陽性となる前に早期に腎病変を診断して、早期治療を行うことが、臨床医学の立場から強く望まれている。【０００５】
試験紙法による尿蛋白が陰性の早期から、糖尿病性腎症患者を診断する手法として、放射線免疫測定法、酵素免疫測定法、ラテックス凝集免疫比濁法、免疫沈降法による尿中のアルブミン測定が行われている。かかる手法の指標としては、尿中アルブミン排泄量「ＡＬＢ／Ｃｒｅ」が用いられている。尿中アルブミン排泄量（ｍｇ／ｇＣｒｅ）は１００×尿中アルブミン濃度（ｍｇ／Ｌ）÷尿中クレアチニン濃度（ｍｇ／ｄＬ）により求めることができる。尿中アルブミン排泄量「ＡＬＢ／Ｃｒｅ」が、３０ｍｇ／ｇＣｒｅ未満の場合は第I期（腎症前期）、３０〜３００ｍｇ／ｇＣｒｅ未満の場合は第II期（早期腎症期）、３００ｍｇ／ｇＣｒｅ以上の場合は第III期（顕性腎症期）に相当する。尿中アルブミン排泄量が３０ｍｇ／ｇＣｒｅ未満の場合は、腎症を発症していない段階と判定される。微量アルブミンを呈することにより糖尿病性腎症であると診断され、これは第II期に相当し、病理学的に軽度から中等度のび慢性病変が既に存在し、結節性病変の存在も知られている時期である。したがって、尿中アルブミンの診断では必ずしも真の初期腎症を判断することができず、糖尿病性腎症の早期診断のための指標が求められている。【０００６】
尿中アルブミン濃度に替えて、フォンヴィレブランド因子（von Willebrandfactor）切断酵素を診断の指標に用いる方法が開示されている（特許文献１）。具体的には、フォンヴィレブランド因子切断酵素の量または酵素活性について、ｖＷＦの量を免疫学的手法を用いて分析することにより、糖尿病性腎症患者における腎障害の進展度の予測および予後の改善を行う手段が開示されている。【０００７】
腎疾患に関連して、尿中ポドカリキシンを測定することによる、簡便な腎障害の検査手段が開示されている（特許文献２）。ポドカリキシンは、腎糸球体を構成するタコ足細胞（ポドサイト）の表面に存在し、濾過機能を担っている糖タンパク質である。ポドサイトは、糸球体基底膜のボウマン腔側に位置し、糸球体濾過機構に重要な役割をもつため、ポドサイトの障害の程度を把握することは、腎疾患において極めて重要な意味を持つことが知られている（非特許文献１）。
【先行技術文献】
【特許文献】
【０００８】
【特許文献１】特開２００８−２１６１３７号公報
【特許文献２】国際公開ＷＯ２００２／０３７０９９号
【非特許文献】
【０００９】
【非特許文献１】Hara et al., Nephron69: 397-403 (1995)
【発明の概要】
【発明が解決しようとする課題】
【００１０】
本発明は、従来の方法より早期に糖尿病性腎症を発見するための検査方法を提供することを課題とする。
【課題を解決するための手段】
【００１１】
本発明者らは上記課題を解決するために、尿中ポドカリキシン排泄量「ＰＣＸ／Ｃｒｅ」が健常人の値よりも高い場合に糖尿病性腎症の可能性があることに着目し、尿中ポドカリキシンを検出することにより糖尿病性腎症の検査を行い得ることを見出し、本発明を完成した。【００１２】
すなわち、本発明は以下よりなる。
１．尿中ポドカリキシンを検出することを特徴とする、糖尿病性腎症の検査方法。
２．糖尿病性腎症の病期区分が少なくとも第I期のものである、前項１に記載の検査方法。
３．尿中ポドカリキシン値が基準値よりも高い場合に、糖尿病性腎症であると判定される、前項１または２に記載の検査方法。
４．基準値が、健常人の尿中ポドカリキシン値の９５％信頼区間の上限値である、前項３に記載の検査方法。
５．糖尿病性腎症の進展および／または糖尿病性腎症の病期区分が判定される、請求項１または２に記載の糖尿病性腎症の検査方法。
６．尿中ポドカリキシン値が、尿中成分の値で補正されたものである、前項１〜５のいずれか１項に記載の検査方法。
７．尿中成分が尿中クレアチニンである、前項６に記載の検査方法。
８．尿中ポドカリキシンの検出を、免疫学的手法により行う、前項１〜７のいずれか１に記載の検査方法。
９．尿中ポドカリキシンを検出するための抗ポドカリキシン抗体を含む、前項８に記載の検査方法に用いる、糖尿病性腎症検査用試薬。
１０．抗ポドカリキシン抗体を用いた尿中ポドカリキシンを検出するための試薬を含む、前項９に記載の検査方法に用いる、糖尿病性腎症検査用試薬キット。
【発明の効果】
【００１３】
尿中ポドカリキシンを測定して本発明の検査方法を実施することにより、糖尿病性腎症を早期に発見することができる。本発明の検査方法により、尿中アルブミン排泄量「ＡＬＢ／Ｃｒｅ」により第I期（腎症前期）に分類された患者であっても、腎症リスクが高い患者に分類することが可能となる。本発明の検査方法により、早期に糖尿病性腎症を発見することは、腎症進行の予防にもつながる。
また、尿中ポドカリキシン排泄量「ＰＣＸ／Ｃｒｅ」は、糖尿病性腎症の進行に伴って高くなる傾向があり、本発明の検査方法により、糖尿病性腎症の病態を把握することが可能となる。尿中ポドカリキシン排泄量は、糸球体の機能亢進状態ならびにそれに続く進行性の障害を反映しているため、活動的な糸球体障害を効果的に診ることが可能である。本発明の検査方法により、簡便に糖尿病性腎症の病態をモニタリングすることができ、治療方針等を速やかに決定することができると考えられる。
【図面の簡単な説明】
【００１４】
【図１】糖尿病および糖尿病性腎症患者の尿中ポドカリキシン排泄量「ＰＣＸ／Ｃｒｅ」を糖尿病性腎症の病期区分に従い分類した図を示す。（実施例２）
【図２】ｅＧＦＲ＜６０を除いた糖尿病および糖尿病性腎症患者の尿中ポドカリキシン排泄量「ＰＣＸ／Ｃｒｅ」を糖尿病性腎症の病期区分に従い分類した図を示す。（実施例２）
【発明を実施するための形態】
【００１５】
本発明は被験者の尿中ポドカリキシンを検出することにより糖尿病性腎症の検査を行うことを特徴とする。本明細書において、検体である尿は、いかなる被験者から得られたものであってもよいが、糖尿病を罹患した患者から得られたものが好ましい。糖尿病の診断は、従来より公知の手段により行えばよい。尿の採取方法は問わないが、早朝尿もしくは随時尿を用いることが好ましい。また本発明の検査方法に必要な尿の量は１０〜２００μＬ程度である。本発明の検査方法は、従来の健康診断等の一般的な尿検査と同時に行われてもよいし、糖尿病の疑いのある被験者や、糖尿病と診断された患者について別途尿を採取して行われてもよい。また本発明の検査方法は、糖尿病患者について、糖尿病性腎症の発症または進行をモニタリングする目的として、行われてもよい。
【００１６】
検体である尿の処理は、尿に処理液を添加して混合することにより行うことができる。処理液は、尿のｐＨ調整、尿沈渣のマスキングおよび、ポドカリキシンの可溶化が可能なものであればいかなるものであってもよいが、好ましくは、緩衝液にキレート剤および界面活性剤などを添加した溶液が例示される。緩衝液、キレート剤は、公知のものであればいずれであってもよく、界面活性剤は、非イオン界面活性剤を用いることが好ましい。処理液としては、例えば２ＭＴＥＳ−ＮａＯＨ（ｐＨ７．０）に、０．２Ｍ ＥＤＴＡと２％（Ｖｏｌ．／Ｖｏｌ．）ＴｒｉｔｏｎＸ−１００を含む溶液が例示される。かかる処理液１０μＬを、尿検体９０μＬに添加して混合することにより、尿試料溶液を得ることが可能である。
【００１７】
尿試料溶液からポドカリキシンを検出する方法は様々な方法が考えられる。尿中ポドカリキシンの検出の一例として、免疫学的手法が挙げられる。免疫学的手法は、例えば、免疫染色法（蛍光抗体法、酵素抗体法、重金属標識抗体法、放射性同位元素標識抗体法を含む）、電気泳動法による分離と蛍光、酵素、放射性同位元素などによる検出方法との組み合わせ（ウェスタンブロット法、蛍光二次元電気泳動法を含む）、酵素免疫測定吸着法（ＥＬＩＳＡ）、ドット・ブロッティング法、ラテックス凝集法（ＬＡ：Latex Agglutination-TurbidimetricImmunoassay）、イムノクロマト法などにより行うことができるが、ＥＬＩＳＡ法もしくはＬＡ法を用いることが好ましい。定量性の観点からＥＬＩＳＡ法のうちサンドイッチ法を用いることが好ましい。サンドイッチ法では、抗ポドカリキシン抗体を固相化したマイクロタイタープレートに尿試料溶液を添加し、抗原・抗体反応をさせ、さらに酵素標識した抗ポドカリキシン抗体を添加し、抗原・抗体反応をさせ、洗浄後、酵素基質と反応・発色させ、吸光度を測定して尿中のポドカリキシンを検出すると共に尿中ポドカリキシン濃度を算出することができる。
【００１８】
免疫学的手法において用いられる抗ポドカリキシン抗体は、ポドカリキシンを検出しうる抗体であればよい。本発明において用いられる抗ポドカリキシン抗体は、公知のものであってもよく、また今後開発される抗体であってもよく、特に限定されないが、例えばモノクローナル・ポリクローナル抗体や標識化抗体、キメラ抗体、ヒト化抗体ならびにこれらの結合活性断片などが挙げられる。
【００１９】
本発明において用いられる尿中ポドカリキシン値は、尿中ポドカリキシン濃度であってもよいが、尿中ポドカリキシン濃度を尿中に安定に排泄される尿中成分の値（尿中成分値）により補正したものであることが望ましい。尿中成分としては、特に尿中クレアチニンが好ましい。尿中クレアチニンはクレアチニンの産生が筋肉の量に依存することから、一個体において疾患にかかわらずほぼ一定であると考えられている。尿中排泄物質の検査においては、尿量誤差を回避するため、クレアチニン１ｇ当りの量により目的とする尿中排泄物質の量を補正する手法が一般的に用いられており、これによりクレアチニン単位グラム当たりの尿中排泄物質を比較することが可能になる。尿中ポドカリキシン濃度を、尿中クレアチニン濃度により補正して得られる補正値を、尿中ポドカリキシン排泄量（ＰＣＸ／Ｃｒｅ）と称し、尿中ポドカリキシン排泄量は、以下の式により算出することができる。
＜式＞  ＰＣＸ／Ｃｒｅ：尿中ポドカリキシン排泄量（μｇ／ｇ）＝１００×尿中ポドカリキシン濃度（ｎｇ／ｍＬ）÷尿中クレアチニン濃度（ｍｇ／ｄＬ）
【００２０】
本発明の検査方法により得られた尿中ポドカリキシン値、好ましくは尿中ポドカリキシン排泄量「ＰＣＸ／Ｃｒｅ」が基準値より高い場合、糖尿病性腎症であると判定することができる。基準値は適宜設定することができるが、健常人の尿中ポドカリキシン値、好ましくは尿中ポドカリキシン排泄量「ＰＣＸ／Ｃｒｅ」を用いることができる。健常人には、糖尿病患者ではない被験者のみならず糖尿病性腎症を発症していない糖尿病患者が含まれていてもよいが、好ましくは糖尿病患者でない被験者が望ましく、さらに糖尿病患者ではなく、他の腎機能マーカーで陰性を示した被験者が望ましい。他の腎機能マーカーとしては、推算糸球体濾過量（ｅＧＦＲ：estimatedglomerular filtration rate）や、尿蛋白が例示される。さらに好ましくは、複数の健常人について尿中ポドカリキシン値、好ましくは尿中ポドカリキシン排泄量「ＰＣＸ／Ｃｒｅ」を得、当該尿中ポドカリキシン排泄量の９５％信頼区間の上限値を基準値として用いる。
【００２１】
９５％信頼区間は公知の手法により求めることができる。健常人の尿中ポドカリキシン値が正規分布している場合は以下の式によって求めることができる。
９５％信頼区間＝健常人尿中ポドカリキシン値の平均±ｔ×健常人尿中ポドカリキシン値の標準偏差
なお、ｔは自由度であり、健常人の検体数によって変動するため、ｔ分布表に基づき選択すればよい。一般に９５％信頼区間の場合ｔは１．９６である。
一方、健常人の尿中ポドカリキシン値が正規分布していない場合は中央値を含んだ９５％を占める範囲を基準範囲とし、その上限値を尿中ポドカリキシン値の基準値とする。
本発明において基準値は、５０μｇ／ｇ〜３００μｇ／ｇ、好ましくは７５μｇ／ｇ〜２００μｇ／ｇ、より好ましくは１００μｇ／ｇ〜１８０μｇ／ｇである。
【００２２】
糖尿病性腎症の病期分類としては、第I期（腎症前期）、第II期（早期腎症期）、第III期（顕性腎症期）が一般的である。第I期（腎症前期）では、尿中アルブミンは正常値を示し、病理組織学的特徴としてはび慢性病変は存在しないか軽度のものが存在する。第II期（早期腎症期）では、尿中に微量アルブミンを呈し、病理組織学的には軽度から中等度のび慢性病変が存在し、結節性病変が時に存在することが知られている。第III期（顕性腎症期）では、尿中に持続性蛋白が呈し、病理組織学的には中等度から高度のび慢性病変が存在し、結節性病変が多くの場合存在することが知られている。
【００２３】
本発明の検査方法により、上記病期分類における第II期、第III期のみならず、第I期の糖尿病性腎症について、判定することが可能となる。従来の尿中アルブミン測定による場合は、第I期が腎症を発症していない段階と判定されるが、本発明の検査方法によれば、第I期を判定することができ、糖尿病性腎症を早期に診断することが可能である。
また、尿中ポドカリキシン排泄量「ＰＣＸ／Ｃｒｅ」は、進行中の糸球体の機能亢進状態ならびにそれに続く進行性の障害を反映する。このため、尿中ポドカリキシン排泄量の増大を確認することにより、糖尿病性腎症の病態の進展を判定および／または予測することができる。糖尿病性腎症の病態の進展を判定および／または予測する場合、被験者の尿中ポドカリキシン値を経時的に測定することが好ましく、尿中ポドカリキシン値が上昇した場合に、糖尿病性腎症の病態の進展と判定される。また、尿中ポドカリキシンの排泄量に基づいて、糖尿病性腎症の病期分類を行うことも可能である。
【００２４】
進行中の糸球体の機能亢進状態により、糖尿病性腎症の病態の進展を判定および／または予測する、あるいは、糖尿病性腎症の病期分類を行う方法においては、糸球体が活動的であり、糸球体硬化が進んでいない状態の被験者を対象とすることが好ましい。このような被験者は他の腎機能マーカーで陰性を示した被験者であることが好ましく、例えばｅＧＦＲが６０以上の被験者が挙げられる。
【００２５】
本発明は、尿中ポドカリキシンを検出するための、抗ポドカリキシン抗体を含む、前記の検査方法に用いる、糖尿病性腎症検査用試薬および、抗ポドカリキシン抗体を含む試薬を含む、前記の検査方法に用いる、糖尿病性腎症検査用試薬キットにも及ぶ。検査用試薬または、検査用試薬キットに含まれる抗ポドカリキシン抗体は、例えば酵素などにより標識化されたものであってもよい。また、検査用試薬キットは２種類以上の抗ポドカリキシン抗体を含んでもよく、当該抗体は互いに異なるエピトープを認識する抗体であることが好ましい。さらに当該キットには、処理液、発色基質等の試薬および、試験に必要な器具等を含むことができる。
【実施例】
【００２６】
以下に本発明の実施例を示し、本発明をさらに具体的に説明するが、本発明はこれらに限定されるものではなく、本発明の技術的思想を逸脱しない範囲内で種々の応用が可能である。【００２７】
（実施例１）尿中ポドカリキシン濃度の測定
ポドカリキシン濃度の測定には、２種類の抗ヒトポドカリキシンモノクローナル抗体を用いた。これらの２種類の抗体は、ヒトポドカリキシンの異なる２つのエピトープを各々認識し、それぞれ抗ヒトポドカリキシンモノクローナル抗体ａ（以下単に「抗体ａ」と称する）と、抗ヒトポドカリキシンモノクローナル抗体ｂ（以下単に「抗体ｂ」と称する）である。本実施例では、抗体ａ固相化マイクロタイタープレート（分割型マイクロプレートＧＦ８高：Ｎｕｎｃ社）と、西洋ワサビＰｅｒｏｘｉｄａｓｅ（以下「ＨＲＰ」と略す）により標識化した抗体ｂを用いた。【００２８】
まず、被験者から得た尿９０μＬと、２Ｍ ＴＥＳ−ＮａＯＨ、０．２Ｍ ＥＤＴＡ、２％（Ｖｏｌ．／Ｖｏｌ．）ＴｒｉｔｏｎＸ−１００、ｐＨ７．０の溶液１０μＬを混合した。混合して得られた尿試料溶液１００μＬを、抗体ａ固相化マイクロタイタープレートのウェルへ加えた。３７℃で１時間静置後、ウェルから尿試料溶液をデカンテーションにより除去した。３．６ｍＭ Ｎａ２ＨＰＯ４、１．４ｍＭＫＨ２ＰＯ４、１４５ｍＭ ＮａＣｌ、０．０５％（Ｖｏｌ．／Ｖｏｌ．）Ｔｗｅｅｎ２０（以下「ＰＢＳ−Ｔ」と略す）を、マイクロタイタープレートのウェルに２００μＬ／ウェルで添加し、デカンテーションによりＰＢＳ−Ｔの除去を行い、洗浄を行った。この洗浄の工程を計３回行った。その後、ＨＲＰ標識化抗体ｂ溶液を、１００μＬ／ウェルで添加した。３７℃で１時間静置後、ＨＲＰ標識化抗体ｂ溶液をデカンテーションにより除去した。ＰＢＳ−Ｔを２００μＬ／ウェルで添加し、デカンテーションによりＰＢＳ−Ｔの除去を行い、洗浄を行った。この洗浄の工程を計３回行った。その後、TMB One-Step Substrate System（Ｄａｋｏ社）をＨＲＰ酵素反応の基質溶液として用いて、１００μＬ／ウェルで添加し、２５℃で３０分間、遮光で静置した。その後、３１３ｍＭＨ２ＳＯ４溶液を反応停止溶液として１００μＬ／ウェルで添加し、マルチスキャンアセントとAscent Software for Multiskan（大日本製薬株式会社）を使用し、波長４５０ｎｍと６３０ｎｍで各ウェルの吸光度を測定した。そして、波長４５０ｎｍの吸光度から波長６３０ｎｍの吸光度を引いた値を測定値とした。検量線の標準品として腎臓から抽出したＮａｔｉｖｅなヒトポドカリキシンを使用し、検体中のポドカリキシン濃度を導き出した。そして尿中ポドカリキシン濃度を尿中クレアチニン濃度により補正した尿中ポドカリキシン排泄量を以下の式から算出した。
＜式＞  ＰＣＸ／Ｃｒｅ：尿中ポドカリキシン排泄量（μｇ／ｇ）＝１００×尿中ポドカリキシン濃度（ｎｇ／ｍＬ）÷尿中クレアチニン濃度（ｍｇ／ｄＬ）【００２９】
（実施例２）糖尿病性腎症における尿中ポドカリキシン排泄量の臨床的意義
実施例１の方法により、糖尿病および糖尿病性腎症患者７１症例の尿中ポドカリキシン排泄量（クレアチニン補正値）を求め、それを糖尿病性腎症の病期分類に従って分類した。健常人群をＡ群、糖尿病性腎症第I期（腎症前期）の患者群をＢ群、糖尿病性腎症第II期（早期腎症期）の患者群をＣ群、糖尿病性腎症第III期（顕性腎症）の患者群をＤ群とする。実施例１の方法により求めた尿中ポドカリキシン排泄量「ＰＣＸ／Ｃｒｅ」が基準値より高値を示した検体は糖尿病性腎症であることを意味する。基準値は健常人６６例（本実施例では糖尿病患者は含まない）から得た尿より求めた尿中ポドカリキシン排泄量「ＰＣＸ／Ｃｒｅ」の９５％信頼区間の上限値であり、その基準値は１６１μｇ／ｇである。【００３０】
糖尿病および糖尿病性腎症患者の尿中ポドカリキシン排泄量「ＰＣＸ／Ｃｒｅ」を糖尿病性腎症の病期区分に従い分類したものを、表１と図１に示す。
【表１】
2010143423.tif 000003
【００３１】
表１、図１より病態が悪化するに従って、尿中ポドカリキシン排泄量「ＰＣＸ／Ｃｒｅ」が基準値以上である検体の割合が上昇していることが分かった。さらに、微量アルブミン尿が出現する前の正常アルブミン尿の段階（第I期）から、尿中ポドカリキシン排泄量「ＰＣＸ／Ｃｒｅ」が基準値以上である症例が、４６．２％存在することが分かった。これは、微量アルブミン尿が出現する前にポドカリキシンが尿中へ排泄されていることを意味している。尿中ポドカリキシンを検出することにより、糖尿病性腎症の病期区分により第I期（腎症前期）に分類された患者を、腎症リスクが高い患者に分類することが可能であることがわかった。【００３２】
次に、尿中ポドカリキシン排泄量「ＰＣＸ／Ｃｒｅ」が活動的な糸球体障害を診ることが可能か否かを検討した。そこで、糖尿病および糖尿病性腎症患者７１症例から糸球体硬化が進み、尿排泄を許容し得るボウマン腔側の間隙スペースが減少していると考えられるｅＧＦＲ＜６０未満の症例を除いた４６症例についての尿中ポドカリキシン排泄量「ＰＣＸ／Ｃｒｅ」のサブ解析を行った。【００３３】
ｅＧＦＲ＜６０を除いた糖尿病および糖尿病性腎症患者の尿中ポドカリキシン排泄量「ＰＣＸ／Ｃｒｅ」を糖尿病性腎症の病期区分に従い分類したものを表２と図２に示す。
【表２】
2010143423.tif 000004
【００３４】
糖尿病性腎症の病期分類で糖尿病および糖尿病性腎症患者７１症例の結果とｅＧＦＲ＜６０未満の症例を除いた４６症例の結果を比較すると、尿中ポドカリキシン排泄量「ＰＣＸ／Ｃｒｅ」が基準値以上である症例の割合が第I期では同等、第II期、第III期ではｅＧＦＲ＜６０未満の症例を除いた４６症例が大きく上回っていることがわかる（表１、表２、図１、図２）。つまり、尿中ポドカリキシン排泄量は現在進行中の糸球体の機能亢進状態ならびにそれに続く進行性の障害を反映していることが分かった。つまり、尿中ポドカリキシン排泄量「ＰＣＸ／Ｃｒｅ」を以って、活動的な糸球体障害を診るのに適した検査方法を提供することが可能となる。
【産業上の利用可能性】
【００３５】
上記説明したとおり、尿中ポドカリキシン排泄量「ＰＣＸ／Ｃｒｅ」は、糖尿病性腎症の診断の指標として用いられている尿中アルブミン排泄量「ＡＬＢ／Ｃｒｅ」よりも早期から、糖尿病性腎症の発症を鋭敏に反映していることが判明した。また、尿中ポドカリキシン排泄量「ＰＣＸ／Ｃｒｅ」を糖尿病性腎症の診断マーカーとして使用することで、早期に糖尿病性腎症を発見し、かつ障害の程度（病態の進展）を的確に判別することができる。本発明の検査方法により、糖尿病性腎症の重症化を予防し医療費の費用軽減することが可能となり、かつ治療方針等の速やかな決定を行うことができ、有用である。
【図１】
2010143423.tif 000005
【図２】
2010143423.tif 000006
【手続補正書】
【提出日】平成23年12月16日(2011.12.16)
【手続補正１】
【補正対象書類名】特許請求の範囲
【補正対象項目名】全文
【補正方法】変更
【補正の内容】
【特許請求の範囲】
【請求項１】
尿中ポドカリキシンを検出することを特徴とする、糖尿病性腎症の検査方法。
【請求項２】
糖尿病性腎症の病期区分が少なくとも第I期のものである、請求項１に記載の検査方法。
【請求項３】
尿中ポドカリキシン値が基準値よりも高い場合に、糖尿病性腎症であると判定される、請求項１または２に記載の検査方法。
【請求項４】
基準値が、健常人の尿中ポドカリキシン値の９５％信頼区間の上限値である、請求項３に記載の検査方法。
【請求項５】
糖尿病性腎症の進展および／または糖尿病性腎症の病期区分が判定される、請求項１または２に記載の糖尿病性腎症の検査方法。
【請求項６】
尿中ポドカリキシン値が、尿中成分の値で補正されたものである、請求項１〜５のいずれか１項に記載の検査方法。
【請求項７】
尿中成分が尿中クレアチニンである、請求項６に記載の検査方法。
【請求項８】
尿中ポドカリキシンの検出を、免疫学的手法により行う、請求項１〜７のいずれか１に記載の検査方法。
【請求項９】
尿中ポドカリキシンを検出するための抗ポドカリキシン抗体を含む、請求項８に記載の検査方法に用いる、糖尿病性腎症検査用試薬。
【請求項１０】
抗ポドカリキシン抗体を用いた尿中ポドカリキシンを検出するための試薬を含む、請求項８に記載の検査方法に用いる、糖尿病性腎症検査用試薬キット。
【手続補正２】
【補正対象書類名】明細書
【補正対象項目名】００１２
【補正方法】変更
【補正の内容】
【００１２】
すなわち、本発明は以下よりなる。
１．尿中ポドカリキシンを検出することを特徴とする、糖尿病性腎症の検査方法。
２．糖尿病性腎症の病期区分が少なくとも第I期のものである、前項１に記載の検査方法。
３．尿中ポドカリキシン値が基準値よりも高い場合に、糖尿病性腎症であると判定される、前項１または２に記載の検査方法。
４．基準値が、健常人の尿中ポドカリキシン値の９５％信頼区間の上限値である、前項３に記載の検査方法。
５．糖尿病性腎症の進展および／または糖尿病性腎症の病期区分が判定される、前項１または２に記載の糖尿病性腎症の検査方法。
６．尿中ポドカリキシン値が、尿中成分の値で補正されたものである、前項１〜５のいずれか１項に記載の検査方法。
７．尿中成分が尿中クレアチニンである、前項６に記載の検査方法。
８．尿中ポドカリキシンの検出を、免疫学的手法により行う、前項１〜７のいずれか１に記載の検査方法。
９．尿中ポドカリキシンを検出するための抗ポドカリキシン抗体を含む、前項８に記載の検査方法に用いる、糖尿病性腎症検査用試薬。
１０．抗ポドカリキシン抗体を用いた尿中ポドカリキシンを検出するための試薬を含む、前項８に記載の検査方法に用いる、糖尿病性腎症検査用試薬キット。
【国際調査報告】
2010143423.tif 000007
2010143423.tif 000008
2010143423.tif 000009
2010143423.tif 000010